(57)【要約】【課題】迅速に遺失物や迷子になった動物の回収をできる。【解決手段】システムセンタ設備３は、データ登録者端末１から物品登録要求されると、データ登録用のフォーム画面を表示し、フォーム画面に物品登録データが入力され送信されると、物品登録番号を採番して登録情報ＤＢに保存し、そのデータを参照できるＵＲＬを生成し、該ＵＲＬと物品登録番号を含むコードを生成してデータ登録者端末１に表示し、次に、データ登録者端末から登録した物品の紛失登録を要求されると登録情報ＤＢの物品欄に紛失フラグを立てて保存し、次に、携帯電話端末２からＵＲＬにアクセスがあると登録情報ＤＢから物品登録データを取り出し記入用のフォームも併せて携帯電話端末２へ送信し、携帯電話端末２から拾得者の情報が送信されてくると、送信されてきた拾得者の情報を登録情報ＤＢに保存し、拾得者の情報をメールでデータ登録者端末へ送信する。【選択図】      図１
2005011153.tif 000002
【特許請求の範囲】
【請求項１】
遺失物を管理するシステムセンタ設備と前記遺失物の所有者が使用するデータ登録者端末と前記遺失物の拾得者の携帯電話端末とがネットワークで接続された遺失物回収システムにおける遺失物回収方法において、前記システムセンタ設備は、前記データ登録者端末から物品登録要求されると、データ登録用の第１のフォーム画面を前記データ登録者端末に表示し、前記第１のフォーム画面に物品登録データが入力され送信されると、送信されてきた前記物品登録データに物品登録番号を採番して登録情報ＤＢに保存し、そのデータを参照できるＵＲＬを生成し、該ＵＲＬと前記物品登録番号を含むコードを生成し、生成した前記コードを前記データ登録者端末に表示し、次に、前記データ登録者端末から前記登録情報ＤＢに登録した前記物品の紛失登録を要求されると前記登録情報ＤＢの前記物品欄に紛失フラグを立てて保存し、次に、前記携帯電話端末から前記ＵＲＬにアクセスがあると指定された前記物品登録番号を元に前記登録情報ＤＢから前記物品登録データを取り出し記入用の第２のフォームも併せて前記携帯電話端末へ送信し、前記携帯電話端末から前記第２のフォームに従った拾得者の情報が送信されてくると、送信されてきた前記拾得者の情報を前記登録情報ＤＢに保存し、前記拾得者の情報をメールで前記データ登録者端末へ送信することを特徴とする遺失物回収方法。
【請求項２】
前記第１のフォーム画面は、少なくとも登録したい動物または物品の写真データ、名前、特徴、種類、大きさの入力欄を含むことを特徴とする請求項１記載の遺失物回収方法。
【請求項３】
前記コードは、ＱＲコードであることを特徴とする請求項１記載の遺失物回収方法。
【請求項４】
前記拾得者の情報には、少なくとも前記拾得者の名前、電話番号、および位置情報を含むことを特徴とする請求項１記載の遺失物回収方法。
【請求項５】
遺失物を管理するシステムセンタ設備と前記遺失物の所有者が使用するデータ登録者端末と前記遺失物の拾得者の携帯電話端末とがネットワークで接続された遺失物回収システムにおける遺失物回収方式において、前記システムセンタ設備は、前記データ登録者端末から物品登録要求されると、データ登録用の第１のフォーム画面を前記データ登録者端末にデータ表示手段を用いて表示し、前記第１のフォーム画面に物品登録データが入力され送信されるとデータ登録手段を用いて送信されてきた前記物品登録データに物品登録番号を採番して登録情報ＤＢに保存し、そのデータを参照できるＵＲＬを生成し該ＵＲＬと前記物品登録番号を含むコードをコード生成手段を用いて生成し、生成した前記コードを前記データ表示手段を用いて前記データ登録者端末に表示し、次に、前記データ登録者端末から前記登録情報ＤＢに登録した前記物品の紛失登録を要求されると前記データ登録手段を用いて前記登録情報ＤＢの前記物品欄に紛失フラグを立てて保存し、次に、前記携帯電話端末から前記ＵＲＬにアクセスがあると指定された前記物品登録番号を元に前記登録情報ＤＢから前記物品登録データを取り出し前記データ表示手段を用いて記入用の第２のフォームも併せて前記携帯電話端末へ送信し、前記携帯電話端末から前記第２のフォームに従った拾得者の情報が送信されてくると、送信されてきた前記拾得者の情報を前記データ登録手段を用いて前記登録情報ＤＢに保存する公開Ｗｅｂサーバと、前記拾得者の情報をメールで前記データ登録者端末へ送信するＳＭＴＰサーバを含んで構成されることを特徴とする遺失物回収方式。
【請求項６】
前記第１のフォーム画面は、少なくとも登録したい動物または物品の写真データ、名前、特徴、種類、大きさの入力欄を含むことを特徴とする請求項５記載の遺失物回収方式。
【請求項７】
前記コードは、ＱＲコードであることを特徴とする請求項５記載の遺失物回収方式。
【請求項８】
前記拾得者の情報には、少なくとも前記拾得者の名前、電話番号、および位置情報を含むことを特徴とする請求項５記載の遺失物回収方式。
【請求項９】
データ登録者端末から物品登録要求されると、データ登録用の第１のフォーム画面を前記データ登録者端末に表示し、前記第１のフォーム画面に物品登録データが入力され送信されると、送信されてきた前記物品登録データに物品登録番号を採番して登録情報ＤＢに保存し、そのデータを参照できるＵＲＬを生成し、該ＵＲＬと前記物品登録番号を含むコードを生成し、生成した前記コードを前記データ登録者端末に表示する第１の機能と、前記データ登録者端末から前記登録情報ＤＢに登録した前記物品の紛失登録を要求されると前記登録情報ＤＢの前記物品欄に紛失フラグを立てて保存する第２の機能と、携帯電話端末から前記ＵＲＬにアクセスがあると指定された前記物品登録番号を元に前記登録情報ＤＢから前記物品登録データを取り出し記入用の第２のフォームも併せて前記携帯電話端末へ送信し、前記携帯電話端末から前記第２のフォームに従った拾得者の情報が送信されてくると、送信されてきた前記拾得者の情報を前記登録情報ＤＢに保存する第３の機能と、前記拾得者の情報をメールで前記データ登録者端末へ送信する第４の機能とをコンピュータに実現させるためのプログラム。
【請求項１０】
少なくとも登録したい動物または物品の写真データ、名前、特徴、種類、大きさの入力欄を含む前記第１のフォーム画面を前記データ登録者端末に表示する前記第１の機能をコンピュータに実現させるための請求項９記載のプログラム。
【請求項１１】
前記コードとして、ＱＲコードを生成する前記第１の機能をコンピュータに実現させるための請求項９記載のプログラム。
【請求項１２】
少なくとも前記拾得者の名前、電話番号、および位置情報を含む前記拾得者の情報を前記データ登録者端末へ送信する前記第４の機能をコンピュータに実現させるための請求項９記載のプログラム。
【発明の詳細な説明】
【０００１】
【発明の属する技術分野】
本発明は遺失物の回収方法に関し、特に携帯電話端末により遺失物に貼り付けられたＱＲコードを撮影、解読し、解読したＵＲＬにアクセスし、拾得者情報を登録することで遺失物の回収を容易にした遺失物回収方法および遺失物回収方式および遺失物回収システムプログラムに関する。
【０００２】
【従来の技術】
従来、貴重品を遺失した場合、遺失したと思われる関連部署や警察に届け出て連絡先などを記入し、拾得者が現れるのを待ち、拾得者が現れた場合、連絡してもらい取りに行くのが一般的であった。このような人間による管理方法では、貴重品が氾濫する状況では管理業務だけでも大変であり、また、似たような物品が多いため、持ち主を誤って判断し、取りに行っても違っていたなどの場合も発生する。
【０００３】
このような遺失物管理の効率化と正確さを担保するために、現在では電話並みに普及してきたインターネット技術を利用し、サーバに遺失物を識別番号で管理させる方法が提案されたいる（例えば、特許文献１参照。）。
【０００４】
この方法によれば、持ち主は貴重品を遺失した場合の届け出、その後の状況問い合わせを自端末からサーバに識別番号で行えるようにし、また、拾得者が現れ、拾得物がサービス事業者に持ち込まれた場合、サービス事業者は、自端末から拾得物に添付された識別番号でサーバに問い合わせ、届け出があるかどうか、登録された遺失物と同じであるかを確認できるようにしている。
【０００５】
【特許文献１】
特開２００２−７３９０８号公報
【０００６】
【発明が解決しようとする課題】
上述した公報の従来技術では、拾得者が遺失物をサービス事業者に持ち込んで、サービス事業者が、自端末から拾得物に添付された識別番号でサーバに問い合わせをして遺失の届け出があるかどうか、登録された遺失物と同じであるかどうかを確認し、遺失者に連絡するようにしているため、拾得者にはサービス事業者に持ち込むという負担がかかるとともに、効率性に欠け遺失物の回収に時間がかかるという問題があった。
【０００７】
本発明の目的は、二次元バーコードであるＱＲコードにインターネット上のＵＲＬ情報や日本語文字列を埋め込み、登録したモノに貼り付け、万が一それを紛失した場合に拾得者が携帯電話端末にてＱＲコードを撮影、解読し、解読したＵＲＬにアクセスし、拾得者情報を登録することで、拾得者の負担を軽減し、迅速に遺失物の回収をできる遺失物回収方法および遺失物回収方式および遺失物回収システムプログラムを提供することにある。
【０００８】
【課題を解決するための手段】
本願の第１の発明は、遺失物を管理するシステムセンタ設備と前記遺失物の所有者が使用するデータ登録者端末と前記遺失物の拾得者の携帯電話端末とがネットワークで接続された遺失物回収システムにおける遺失物回収方法において、前記システムセンタ設備は、前記データ登録者端末から物品登録要求されると、データ登録用の第１のフォーム画面を前記データ登録者端末に表示し、前記第１のフォーム画面に物品登録データが入力され送信されると、送信されてきた前記物品登録データに物品登録番号を採番して登録情報ＤＢに保存し、そのデータを参照できるＵＲＬを生成し、該ＵＲＬと前記物品登録番号を含むコードを生成し、生成した前記コードを前記データ登録者端末に表示し、次に、前記データ登録者端末から前記登録情報ＤＢに登録した前記物品の紛失登録を要求されると前記登録情報ＤＢの前記物品欄に紛失フラグを立てて保存し、次に、前記携帯電話端末から前記ＵＲＬにアクセスがあると指定された前記物品登録番号を元に前記登録情報ＤＢから前記物品登録データを取り出し記入用の第２のフォームも併せて前記携帯電話端末へ送信し、前記携帯電話端末から前記第２のフォームに従った拾得者の情報が送信されてくると、送信されてきた前記拾得者の情報を前記登録情報ＤＢに保存し、前記拾得者の情報をメールで前記データ登録者端末へ送信することを特徴とする。
【０００９】
本願の第２の発明は、第１の発明の前記第１のフォーム画面は、少なくとも登録したい動物または物品の写真データ、名前、特徴、種類、大きさの入力欄を含むことを特徴とする。
【００１０】
本願の第３の発明は、第１の発明の前記コードは、ＱＲコードであることを特徴とする。
【００１１】
本願の第４の発明は、第１の発明の前記拾得者の情報には、少なくとも前記拾得者の名前、電話番号、および位置情報を含むことを特徴とする。
【００１２】
本願の第５の発明は、遺失物を管理するシステムセンタ設備と前記遺失物の所有者が使用するデータ登録者端末と前記遺失物の拾得者の携帯電話端末とがネットワークで接続された遺失物回収システムにおける遺失物回収方式において、前記システムセンタ設備は、前記データ登録者端末から物品登録要求されると、データ登録用の第１のフォーム画面を前記データ登録者端末にデータ表示手段を用いて表示し、前記第１のフォーム画面に物品登録データが入力され送信されるとデータ登録手段を用いて送信されてきた前記物品登録データに物品登録番号を採番して登録情報ＤＢに保存し、そのデータを参照できるＵＲＬを生成し該ＵＲＬと前記物品登録番号を含むコードをコード生成手段を用いて生成し、生成した前記コードを前記データ表示手段を用いて前記データ登録者端末に表示し、次に、前記データ登録者端末から前記登録情報ＤＢに登録した前記物品の紛失登録を要求されると前記データ登録手段を用いて前記登録情報ＤＢの前記物品欄に紛失フラグを立てて保存し、次に、前記携帯電話端末から前記ＵＲＬにアクセスがあると指定された前記物品登録番号を元に前記登録情報ＤＢから前記物品登録データを取り出し前記データ表示手段を用いて記入用の第２のフォームも併せて前記携帯電話端末へ送信し、前記携帯電話端末から前記第２のフォームに従った拾得者の情報が送信されてくると、送信されてきた前記拾得者の情報を前記データ登録手段を用いて前記登録情報ＤＢに保存する公開Ｗｅｂサーバと、前記拾得者の情報をメールで前記データ登録者端末へ送信するＳＭＴＰサーバを含んで構成されることを特徴とする。
【００１３】
本願の第６の発明は、第５の発明の前記第１のフォーム画面は、少なくとも登録したい動物または物品の写真データ、名前、特徴、種類、大きさの入力欄を含むことを特徴とする。
【００１４】
本願の第７の発明は、第５の発明の前記コードは、ＱＲコードであることを特徴とする。
【００１５】
本願の第８の発明は、第５の発明の前記拾得者の情報には、少なくとも前記拾得者の名前、電話番号、および位置情報を含むことを特徴とする。
【００１６】
本願の第９の発明は、データ登録者端末から物品登録要求されると、データ登録用の第１のフォーム画面を前記データ登録者端末に表示し、前記第１のフォーム画面に物品登録データが入力され送信されると、送信されてきた前記物品登録データに物品登録番号を採番して登録情報ＤＢに保存し、そのデータを参照できるＵＲＬを生成し、該ＵＲＬと前記物品登録番号を含むコードを生成し、生成した前記コードを前記データ登録者端末に表示する第１の機能と、前記データ登録者端末から前記登録情報ＤＢに登録した前記物品の紛失登録を要求されると前記登録情報ＤＢの前記物品欄に紛失フラグを立てて保存する第２の機能と、携帯電話端末から前記ＵＲＬにアクセスがあると指定された前記物品登録番号を元に前記登録情報ＤＢから前記物品登録データを取り出し記入用の第２のフォームも併せて前記携帯電話端末へ送信し、前記携帯電話端末から前記第２のフォームに従った拾得者の情報が送信されてくると、送信されてきた前記拾得者の情報を前記登録情報ＤＢに保存する第３の機能と、前記拾得者の情報をメールで前記データ登録者端末へ送信する第４の機能とをコンピュータに実現させるためのプログラム。
【００１７】
本願の第１０の発明は、少なくとも登録したい動物または物品の写真データ、名前、特徴、種類、大きさの入力欄を含む前記第１のフォーム画面を前記データ登録者端末に表示する前記第１の機能をコンピュータに実現させるための第９の発明のプログラム。
【００１８】
本願の第１１の発明は、前記コードとして、ＱＲコードを生成する前記第１の機能をコンピュータに実現させるための第９の発明のプログラム。
【００１９】
本願の第１２の発明は、少なくとも前記拾得者の名前、電話番号、および位置情報を含む前記拾得者の情報を前記データ登録者端末へ送信する前記第４の機能をコンピュータに実現させるための第９の発明のプログラム。
【００２０】
【発明の実施の形態】
次に、本発明の実施の形態について図面を参照して詳細に説明する。
【００２１】
図１は、本発明の一実施の形態を示すシステム構成図である。
【００２２】
本発明は図１に示すように、データ登録者端末１、拾得者の携帯電話端末２、システムセンタ設備３、Ｗｅｂ閲覧者端末４により構成されており、これらは全てインターネット９を介して接続されている。
【００２３】
データ登録者端末１は本発明の多数の利用会員の端末を表し、拾得者の携帯電話端末２は、ＱＲコード（二次元バーコード）を撮影、解読できる端末である。
【００２４】
尚、ＱＲコードおよび、その応用例については、ＤＥＮＳＯ  ＷＡＶＥ  ＩＮＣＯＲＰＯＲＡＴＥＤ社のホームページ（ｈｔｔｐ：／／ｗｗｗ．ｑｒｃｏｄｅ．ｃｏｍ／）を参照されたい。
【００２５】
システムセンタ設備３はデータ登録者端末１、拾得者の携帯電話端末２、Ｗｅｂ閲覧者端末４がインターネット経由でアクセスするサーバ設備であり、図２に示す通り公開Ｗｅｂサーバ３１とＳＭＴＰサーバ３２により構成されている。Ｗｅｂ閲覧者端末４はインターネット上に存在する不特定多数のユーザを表している。
【００２６】
公開Ｗｅｂサーバ３１はシステムセンタ設備３にアクセスされるサーバ装置であり、図３に示すＷｅｂサーバソフト３１１、データ登録閲覧ＣＧＩ３１２、ＱＲコード生成エンジン３１３、Ｗｅｂコンテンツ３１４、ログイン処理ＣＧＩ３１５により構成されている。
【００２７】
尚、公開Ｗｅｂサーバ３１は、Ｗｅｂサーバソフト３１１、データ登録閲覧ＣＧＩ３１２、ＱＲコード生成エンジン３１３、ログイン処理ＣＧＩ３１５の代わりに、各々ハードロジックで構成されたＷｅｂサーバ手段、データ登録閲覧手段、ＱＲコード生成手段、ログイン処理手段から構成されてもよい（図示せず）。
【００２８】
Ｗｅｂサーバソフト３１１は、ＩＩＳやＡｐａｃｈｅ等のｈｔｔｐデーモンであり、データ登録閲覧ＣＧＩ３１２、ログイン処理ＣＧＩ３１５を実行させたり、Ｗｅｂコンテンツ３１４を表示する機能を有する。
【００２９】
データ登録閲覧ＣＧＩ３１２はデータ登録者端末１が動物や物品データをシステムセンタ設備３に登録するためのＷｅｂサーバサイドプログラムであり、図４に示すデータ登録プログラム３１２１、データ表示プログラム３１２２、登録情報ＤＢ３１２３により構成されている。
【００３０】
尚、データ登録閲覧ＣＧＩ３１２は、データ登録プログラム３１２１、データ表示プログラム３１２２の代わりに、各々ハードロジックで構成されたデータ登録手段、データ表示手段から構成されてもよい（図示せず）。
【００３１】
ＱＲコード生成エンジン３１３はインターネットへアクセスするためのＵＲＬ文字列をＱＲコード（二次元バーコード）として生成するエンジンである。本発明ではこのアルゴリズムを利用する。
【００３２】
Ｗｅｂコンテンツ３１４は  Ｗｅｂ閲覧者端末４が公開Ｗｅｂサーバ３１にアクセスした時にＷｅｂ閲覧者端末４に表示するコンテンツであり、内容は本システムの宣伝や他の広告主の広告を掲載する。
【００３３】
ログイン処理ＣＧＩ３１５はシステムセンタ設備３にアクセスするデータ登録者端末１とＷｅｂ閲覧者端末４を区別するためのＷｅｂサーバサイドプログラムであり、図５に示すセッション管理プログラム３１５１、ユーザ管理プログラム３１５２，ユーザ情報ＤＢ３１５３により構成されている。
【００３４】
尚、ログイン処理ＣＧＩ３１５は、セッション管理プログラム３１５１、ユーザ管理プログラム３１５２の代わりに、各々ハードロジックで構成されたセッション管理手段、ユーザ管理手段構成されてもよい（図示せず）。
【００３５】
データ登録プログラム３１２１はデータ登録者端末１が動物や物品をシステムに登録するためのＰｅｒｌやＣ言語等で記述されたプログラムであり、情報は登録情報ＤＢ３１２３に保存される。データ表示プログラム３１２２は登録情報ＤＢ３１２３から登録情報を読み出し、アクセス要求元に登録されているデータに関する情報を返すプログラムである。データ登録プログラム３１２１と同様にＣＧＩとして実装される。登録情報ＤＢ３１２３は複数のデータ登録者端末１により登録されたデータの集まりであり、図８に示す形式で情報を格納する。また前述したとおり、データ登録プログラム３１２１により追加登録され、データ表示プログラム３１２２から参照される。
【００３６】
セッション管理プログラム３１５１は、データ登録者端末１のシステムセンタ設備３への接続情報をセッション情報として保持する。ユーザ管理プログラム３１５２はシステムセンタ設備３を利用するためのユーザ登録、削除、変更を管理する。ユーザ情報ＤＢ３１５３は本システムを利用可能なユーザの各種情報が保存されたＤＢであり、図９に示す形式で情報を格納する。
【００３７】
次に図面を用いて本発明の動作を詳細に説明する。
【００３８】
図６は、本発明の一実施例を示す動作フロー図である。
【００３９】
まず、図６において、パソコン端末などのデータ登録者端末１は、システムセンタ設備３内、公開Ｗｅｂサーバ３１へインターネットを通じてアクセスする（ステップＡ１）。
【００４０】
システムセンタ設備３内公開Ｗｅｂサーバ３１はログイン処理ＣＧＩ３１５内セッション管理プログラム３１５１を実行し、アクセスしてきたデータ登録者のユーザ名とパスワードがユーザ情報ＤＢ３１５３に記録されていることを確認して認証し、セッション（このユーザとの接続情報）を確立する（ステップＡ２）。
【００４１】
セッション確立後、データ登録用のフォーム画面をデータ登録者端末１に表示する。
【００４２】
データ登録者端末１は登録したい動物または物品の写真データ（ある場合）、名前、特徴、種類、大きさ、備考をフォームにしたがって記入し登録、送信する（ステップＡ３）。
【００４３】
データ登録閲覧ＣＧＩ３１２は、データ登録プログラム３１２１を実行し、登録情報ＤＢ３１２３に送信されてきた登録データに物品登録番号を採番、保存し、そのデータを参照できるＵＲＬ（具体的にはデータ表示プログラム３１２２を物品登録番号を引数として実行できるもの）を生成し、ＱＲコード生成エンジン３１３を用いてＱＲコードを生成する。生成したＱＲコードをデータ登録者端末１に表示する（ステップＡ４）。
【００４４】
データ登録者は端末１に表示されたＱＲコードを印刷し、動物または物品へ貼り付ける。登録した情報が動物の場合には首輪にビニール等で濡れても印字が消えないように処置を施し貼り付ける（ステップＡ５）。
【００４５】
次に、データ登録者が図６のＡ３の項で登録した動物または物品を紛失したと仮定する（ステップＡ６）。
【００４６】
データ登録者端末１はシステムセンタ設備３へインターネットを通じてアクセスし、フローチャートでは省略されているがＡ２と同様にログインし、登録した物品情報をデータ表示プログラム３１２２が表示し、データ登録者は紛失事実を登録する（ステップＡ７）。
【００４７】
システムセンタ設備３内データ登録プログラム３１２１は登録情報ＤＢ３１２３に紛失フラグを立てて保存する（ステップＡ８）。
【００４８】
次に第三者が、データ登録者が紛失登録した動物または物品を拾得したと仮定する（ステップＡ９）。
【００４９】
データ登録者の登録紛失物を拾得した第三者はインターネットに接続可能、かつＱＲコードを内臓カメラにより撮影し解読できる装置である携帯電話端末３を用いて拾得した遺失物に貼られているＱＲコードを撮影解読する。解読されたＱＲコードは図７に示すような文字列に変換され、この中のＵＲＬにアクセスする（ステップＡ９）。
【００５０】
携帯電話端末３からアクセスされると、データ表示プログラム３１２２は引数に指定された物品登録番号を元に登録情報ＤＢ３１２３から情報を取り出し、携帯電話端末３へ送信し（ステップＡ１０）、記入用のフォームも同時に送信する。
【００５１】
携帯電話端末３から紛失物を拾得した第三者の情報（名前と電話番号）を記入し、送信する。またその際には自動的に現在の位置情報も送信する。位置情報はデータ登録者端末１へ送信され、遺失物が今どこにあるのかを把握する目的で使用する。
【００５２】
送信されてきた拾得者の情報をデータ登録プログラム３１２１が登録情報ＤＢ３１２３に保存する（ステップＡ１２）。
【００５３】
システムセンタ設備３はＳＭＴＰサーバ３２を用いて拾得者の情報（名前、電話番号、位置情報）をメールでデータ登録者端末１へ送信する（ステップＡ１３）。
【００５４】
データ登録者端末１はシステムセンタ設備３より送信されたメールを受信し（ステップＡ１４）、データ登録者は拾得者へ電話をかけ、拾得者と直接コンタクトをとる（ステップＡ１５）。
【００５５】
拾得者はデータ登録者へ紛失物を返還する。このとき謝礼は後日システムセンタ設備３より支払われることを告げる（ステップＡ１６）。
【００５６】
データ登録者端末１はシステムセンタ設備３へインターネットを介して接続し、物品を受け取ったことを登録する（ステップＡ１７）。
【００５７】
データ登録プログラム３１２１は登録情報ＤＢ３１２３の受取Ｆを更新する（ステップＡ１８）。
【００５８】
最後にシステムセンタ設備３は携帯電話端末３を持つ拾得者に謝礼等を送付する（ステップＡ１９）。
【００５９】
次にＷｅｂ閲覧者がシステム設備３を利用するためのユーザ登録を行うフロー図について説明する。
【００６０】
Ｗｅｂ閲覧者端末４はシステムセンタ設備３のホームページにパソコン等の端末を用いてインターネット経由でアクセスすると（ステップＢ１）、システムセンタ設備３内公開Ｗｅｂサーバ３１は  Ｗｅｂコンテンツ３１４を表示する（ステップＢ２）。
【００６１】
Ｗｅｂ閲覧者端末４がシステムセンタ設備３を利用したいと望んだときにはユーザ登録を行う（ステップＢ３）。
【００６２】
システムセンタ設備３は登録用のフォーム画面を表示し（ステップＢ４）、Ｗｅｂ閲覧者端末４はフォームに従って自身の情報を送信する（ステップＢ５）。ユーザ管理プログラム３１５２はユーザ情報ＤＢ３１５３を更新し、登録完了とする（ステップＢ６）。
【００６３】
【発明の効果】
以上説明したように、本発明は、二次元バーコードであるＱＲコードにインターネット上のＵＲＬ情報や日本語文字列を埋め込み、登録したモノに貼り付け、万が一それを紛失した場合に拾得者が携帯電話端末にてＱＲコードを撮影、解読し、解読したＵＲＬにアクセスし、拾得者情報を登録するようにしたことにより、拾得者の負担を軽減し、迅速に遺失物や迷子になった動物の回収をできる効果がある。
【００６４】
【図面の簡単な説明】
【図１】本発明の一実施の形態を示すシステム構成図である。
【図２】図１のシステムセンタ設備の構成例を示す図である。
【図３】図２の公開Ｗｅｂサーバの構成例を示す図である。
【図４】図３のデータ登録閲覧ＣＧＩの構成例を示す図である。
【図５】図３のログイン処理ＣＧＩの構成例を示す図である。
【図６】本発明の一実施の形態を示す動作フローチャートである。
【図７】動物や物品に貼り付けるＱＲコードとその解読結果の一例を示す図である。
【図８】図４の登録情報ＤＢの情報の格納の一例を示す図である。
【図９】図５のユーザ情報ＤＢの情報の格納の一例を示す図である。
【符号の説明】
１    データ登録者端末
２    拾得者の携帯電話端末
３    システムセンタ設備
４    Ｗｅｂ閲覧者端末
９    インターネット
３１    公開Ｗｅｂサーバ
３２    ＳＭＴＰサーバ
３１１    Ｗｅｂサーバソフト
３１２    データ登録閲覧ＣＧＩ
３１３    ＱＲコード生成エンジン
３１４    Ｗｅｂコンテンツ
３１５    ログイン処理ＣＧＩ
３１２１    データ登録プログラム
３１２２    データ表示プログラム
３１２３    登録情報ＤＢ
３１５１    セッション管理プログラム
３１５２    ユーザ管理プログラム
３１５３    ユーザ情報ＤＢ
【図１】
2005011153.tif 000003
【図２】
2005011153.tif 000004
【図３】
2005011153.tif 000005
【図４】
2005011153.tif 000006
【図５】
2005011153.tif 000007
【図６】
2005011153.tif 000008
【図７】
2005011153.tif 000009
【図８】
2005011153.tif 000010
【図９】
2005011153.tif 000011